(57)【特許請求の範囲】
【請求項１】
車室内に設けた開閉可能なグラブドアを備えたグラブボックス内に、情報処理機器を収納した車両の情報処理機器収納装置において、
上記グラブボックス内に回動可能に収納され一対のレールを両下側部に取り付けたグラブボックスインナーと、
グラブボックス両側壁面にグラブドアの開閉に連動して車両の前後方向に回動する状態に取り付けられ、回動力を上記グラブボックスインナーに伝達する一対のガイドアームと、
一対のスライドガイドを両側部に取り付け、この一対のスライドガイドを上記グラブボックスインナーに取り付けた一対のレールに各々スライド可能に嵌合させるとともに、情報処理機器を載置したベース部と、
上記一対のレールに各々他端を回動可能に取り付けた一対の第１リンクアームと、
上記ベース部に各々他端を回動可能に取り付け、一端を上記一対の第１リンクアームに各々連結した一対の第２リンクアームと、
上記一対のガイドアームの回動力を上記第１リンクアームを介して第２リンクアームに伝達し、上記ベース部の一対のスライドガイドを上記一対のレールに沿ってスライドさせ、上記情報処理機器を収納位置から操作可能位置に変位させる一対の連結アームと、
上記一対のレールに各々取り付けられ、弧状の長穴による上記一対の第１リンクアーム及び第２リンクアームの回動案内を行う一対の回動案内板と、
を有することを特徴とする車両の情報処理機器収納装置。
【請求項２】
前記情報処理機器は、ファクシミリ装置、パーソナルコンピュータ装置、携帯情報端末等の中から選定されたものであることを特徴とする、請求項１記載の車両の情報処理機器収納装置。
【発明の詳細な説明】
【０００１】
【発明の属する技術分野】
この発明は車両の情報処理機器収納装置に関し、より詳しくは、例えば車内においてファクシミリ装置等の情報処理機器を操作性良く収納する車両の情報処理機器収納装置に関するものである。
【０００２】
【従来の技術】
従来、車両の車室内におけるグラブボックスにこの種の情報処理機器収納装置として図７乃至図１０に示すものが知られている。
この従来の情報処理機器収納装置は、車両の車室内の助手席側において、軸部１１０を支軸として開閉可能なグラブドアアウタ１０１を備えたグラブボックス１００内に、情報処理機器の一種である図８に示すようなファクシミリ装置１５０を搭載して構成している。
【０００３】
ファクシミリ装置１５０は、図８に示すように、板状のべース部１１１上にボルト１２１を用いてファクシミリ本体１５１を固定配置するとともに、このべース部１１１及びファクシミリ本体１５１をグラブドアアウタ１０１、グラブドアインナ１０２により区画されるグラブボックス１００内に、前記グラブドアアウタ１０１側にべース部１１１が固定される状態で収容し、図９に示すグラブドアアウタ１０１の閉状態ではファクシミリ装置１５０の上部がフロント側（エンジンルーム側）に傾倒する状態とし、図１０に示すグラブドアアウタ１０１の開状態ではファクシミリ装置１５０の上部がリア側（助手席側）に回動する状態となるようにしている。
【０００４】
前記ファクシミリ装置１５０のファクシミリ本体１５１の助手席側の面には、図８に示すように、発信部１５３、受信部１５４が設けられ、フロント側の面には情報記録用のロール紙１５５が配置され、さらに、ファクシミリ本体１５１の上部には情報処理のための各種操作を行うキー、ランプ等を列設した操作部１５６が設けられている。
【０００５】
【発明が解決しようとする課題】
しかしながら、上述した従来の情報処理機器収納装置の場合、単にグラブボックス１００内に、前記グラブドアアウタ１０１側にべース部１１１が固定される状態でファクシミリ装置１５０を収容しただけの構成であり、このため、図１０に示すグラブドアアウタ１０１の開状態の場合においても、前記ファクシミリ装置１５０の操作部１５６上の操作スペースＳ（図１０に斜線を付して示す）は、グラブボックス１００の上部に配置される音響機器（例えばＣＤチェンジャー）１３０等の底部１３０ａに邪魔されて十分に確保できず、この結果、ファクシミリ装置１５０の操作部１５６に対する操作者の操作性は必ずしも良好であるとは言えないものであった。
【０００６】
この発明は、上記事情に鑑みてなされたものであり、グラブドアの開操作と連動してグラブボックス内の情報処理機器をその操作性が良好な位置まで移動し得る車両の情報処理機器収納装置を提供するものである。
【０００７】
【課題を解決するための手段】
請求項１記載の発明は、車室内に設けた開閉可能なグラブドアを備えたグラブボックス内に、情報処理機器を収納した車両の情報処理機器収納装置において、グラブボックス内に回動可能に収納され一対のレールを両下側部に取り付けたグラブボックスインナーと、グラブボックス両側壁面にグラブドアの開閉に連動して車両の前後方向に回動する状態に取り付けられ、回動力をグラブボックスインナーに伝達する一対のガイドアームと、一対のスライドガイドを両側部に取り付け、この一対のスライドガイドをグラブボックスインナーに取り付けた一対のレールに各々スライド可能に嵌合させるとともに、情報処理機器を載置したベース部と、一対のレールに各々他端を回動可能に取り付けた一対の第１リンクアームと、ベース部に各々他端を回動可能に取り付け、一端を一対の第１リンクアームに各々連結した一対の第２リンクアームと、一対のガイドアームの回動力を第１リンクアームを介して第２リンクアームに伝達し、ベース部の一対のスライドガイドを一対のレールに沿ってスライドさせ、情報処理機器を収納位置から操作可能位置に変位させる一対の連結アームと、一対のレールに各々取り付けられ、弧状の長穴による一対の第１リンクアーム及び第２リンクアームの回動案内を行う一対の回動案内板とを有することを特徴とするものである。
【０００８】
この発明の車両の情報処理機器収納装置において、グラブドアを閉状態から開状態にすると、このグラブドアの開動作に連動して一対のガイドアームが車両の後方向に回動し、この一対のガイドアームの回動力はグラブボックスインナーに伝達されてグラブボックスインナーは回動する。
【０００９】
グラブボックスインナーの回動とともに、前記一対の連結アームは、一対のガイドアームの回動力を受けて、第１リンクアームを介して第２リンクアームに伝達し、ベース部の一対のスライドガイドをグラブボックスインナーに取り付けた一対のレールに沿ってスライドさせ、情報処理機器を収納位置から操作可能位置まで変位させる。
【００１０】
前記一対の回動案内板は、弧状の長穴により前記一対の第１リンクアーム及び第２リンクアームの回動案内を行う。
【００１１】
これにより、情報処理機器は、グラブボックス内の収納位置から、グラブドアが開状態となり上方空間が解放している操作可能位置に円滑に変位することになり、情報処理機器の操作者は従来例のような音響機器等に邪魔されることなくこの情報処理機器の操作を支障なく行うことができる。
【００１２】
この情報処理機器を収納位置に戻す時には、グラブドアの開状態から閉状態へ移行する時の回動力が、上述した場合と逆の順に各要素に伝達され、やはり情報処理機器を円滑に収納位置に戻すことができる。
【００１３】
請求項２記載の発明は、請求項１記載の車両の情報処理機器収納装置において前記情報処理機器を、ファクシミリ装置、パーソナルコンピュータ装置、携帯情報端末等の中から選定するようにしたことを特徴としている。
【００１４】
この発明によれば、ファクシミリ装置、パーソナルコンピュータ装置、携帯情報端末等の中から選定されるいずれかの情報処理機器に対して、請求項１記載の車両の情報処理機器収納装置の場合と同様、当該情報処理機器を、グラブボックス内の収納位置と操作可能位置とに渡って円滑に変位させることができる。
【００１５】
【発明の実施の形態】
以下、この発明の実施の形態を詳細に説明する。
図１乃至図６はこの発明の実施の形態の車両のグラブボックス１及び情報処理機器収納装置５０を示している。この情報処理機器収納装置５０は、車両の車室内の助手席側において、軸部２を支軸として開閉可能なグラブドアアウタ（グラブドア）３を備えたグラブボックス１内に、従来例と同様に、情報処理機器の一種である図８に示すようなファクシミリ装置１５０を搭載して構成している。
【００１６】
即ち、情報処理機器収納装置５０は、グラブボックス１内に回動可能に収納され、一対のレール４を両下側部に取り付けたファクシミリ装置１５０収納用のグラブボックスインナー５と、グラブボックス１の両側壁面１ａ、１ｂに対して、取り付け軸ピン４０を介してグラブドアアウタ３の開閉に連動して車両の前後方向に回動する状態に一端を取り付けられ、回動力を弧状穴６ａを介して前記グラブボックスインナー５の壁面に設けた突出ピン５ａに伝達する一対のガイドアーム６と、前記グラブボックスインナー５の両側面に、取り付けピン４１を介して取り付けた（図６において、取り付け位置を符号ａ，ｂを付して示す）一対の矩形チャンネル状で、下面に車両の前後方向に沿った案内溝７ａを設けたレール７とを具備している。
【００１７】
また、情報処理機器収納装置５０は、前記案内溝７ａに嵌合するガイド片８ａを有する一対のスライドガイド８を両側部に取り付け、この一対のスライドガイド８のガイド片８ａを前記グラブボックスインナー５に取り付けた一対のレール７の案内溝７ａに各々スライド可能に嵌合させるとともに、上面に情報処理機器であるファクシミリ装置１５０を載置したベース部１０と、一対のガイドアーム６の他端に一端を取り付け軸ピン４０を介して取り付けた一対の連結アーム１１と、略く字状に形成され、前記一対のレール７の壁面に設けた突出軸７ｄに各々他端側に形成した筒部１２ｃを回動可能に嵌め付け、中間部に設けた軸筒部１２ａを前記一対の連結アーム１１の他端に取り付けピン４１を介して取り付けた一対の第１リンクアーム１２と、一端を前記一対の第１リンクアーム１２の一端に取り付けピン４１を介して各々連結し、前記ベース部１０の壁面に各々取り付け軸ピン４０を介して他端を回動可能に取り付けた一対の第２リンクアーム１３とを具備している。
【００１８】
さらに、この情報処理機器収納装置５０は、一対のレール７の壁面両端に設けた一対の突出部７ｃに、下側両端に設け一対の受穴１４ｃを嵌め付けてこのレール７に固定されるとともに、上部側に弧状の長穴１４ａを備え、第１リンクアーム１２、第２リンクアーム１３を連結する取り付けピン４１を長穴１４ａ内を貫通させて、この弧状の長穴１４ａによる前記一対の第１リンクアーム１２及び第２リンクアーム１３の回動案内を行う一対の回動案内板１４とを具備している。
【００１９】
尚、図２、図５中、５ｘは前記グラブボックスインナー５の側面に設けたガイド長穴であり、前記連結アーム１１と、第１リンクアーム１２とを連結する取り付けピン４１が貫通配置され、これらの回動案内を行うようになっている。
【００２０】
次に、上述した構成の情報処理機器収納装置５０の作用を説明する。
グラブドアアウタ３の閉状態では、図２に示すように、ファクシミリ装置１５０はグラブボックス１内のグラブボックスインナー５上で車両のフロント側に傾いた状態で収容されている。
【００２１】
この状態から、グラブドアアウタ３を図５に示すように矢印ε方向に開くと、グラブドアアウタ３の回動力を受けたグラブボックスインナー５の突出ピン５ａが前記弧状穴６ａに沿って矢印α方向に回動し、これによりガイドアーム６が突出ピン５ａの回動力を受けて矢印β方向に回動する。
【００２２】
ガイドアーム６が矢印β方向に回動すると、このガイドアーム６に連結された連結アーム１１を介して第１リンクアーム１２が前記回動案内板１４の長穴１４ａに案内されつつ矢印γ方向に回動し、これにより、第２リンクアーム１３を矢印δ方向（車両のリア方向）に押し出す。
この結果、ベース部１０に取り付けたスライドガイド８もレール７内を矢印δ方向にスライドする。
【００２３】
このようにして、ファクシミリ装置１５０を載置したベース部１０が、図５に示すように、その上部に設けた操作部１５６の上方の操作スペースＳが解放された位置まで移動することになり、音響機器１３０等の底部１３０ａに何等邪魔されることなくファクシミリ装置１５０の操作を行うことが可能となる。
【００２４】
ファクシミリ装置１５０を図２に示す当初の収納位置に戻す時には、グラブドアアウタ３の開状態から閉状態へ移行する時の回動力が、上述した場合と逆の順に上述した情報処理機器収納装置５０の各要素に伝達され、このファクシミリ装置１５０を円滑に図２に示す収納位置に戻すことができる。
【００２５】
なお、本実施の形態の情報処理機器収納装置５０は、上述したファクシミリ装置１５０をグラブボックス１内で移動させる場合のほか、ノート型のパーソナルコンピュータ装置や、携帯情報端末等の情報処理機器をグラブボックス１内に収納し、移動させる場合についても適用できる。
【００２６】
また、本実施の形態の情報処理機器収納装置５０は、グラブボックスに関して適用する他、車両のコンソールボックスに設けて情報処理機器を利用可能とするような構成や、フロントシートの背もたれの背面側に設けて、リアシート側で情報処理機器を利用可能とするような構成とすることも可能である。
【００２７】
【発明の効果】
請求項１記載の発明によれば、情報処理機器をグラブボックス内の収納位置から、上方空間が解放している操作可能位置に円滑に変位させることができ、この情報処理機器の操作を支障なく行うことができる車両の情報処理機器収納装置を提供することができる。
【００２８】
請求項２記載の発明によれば、ファクシミリ装置、パーソナルコンピュータ装置、携帯情報端末等の中から選定されるいずれかの情報処理機器に適用して、各々の操作を支障なく行うことができる車両の情報処理機器収納装置を提供することができる。
【図面の簡単な説明】
【図１】この発明の実施の形態における車両の車室内のグラブボックスを示す部分斜視図である。
【図２】図１のＡ−Ａ線断面図である。
【図３】図２のＢ−Ｂ線断面図である。
【図４】図２のＣ−Ｃ線断面図である。
【図５】本発明の実施の形態の車両の情報処理機器収納装置のグラブドアアウタの開状態の断面図である。
【図６】本発明の実施の形態の車両の情報処理機器収納装置の部分分解拡大斜視図である。
【図７】従来の車両の車室内のグラブボックスを示す部分斜視図である。
【図８】従来の車両の情報処理機器収納装置に収納するファクシミリ装置を示す斜視図である。
【図９】図７のＸ−Ｘ線断面図である。
【図１０】従来の車両の情報処理機器収納装置のグラブドア開状態の位置を示す説明図である。
【符号の説明】
１    グラブボックス
２    軸部
３    グラブドアアウタ
４    レール
５    グラブボックスインナー
５ａ    突出ピン
６    ガイドアーム
７    レール
８    スライドガイド
１０  ベース部
１１  連結アーム
１２  第１リンクアーム
１３  第２リンクアーム
１４  回動案内板
４０  取り付け軸ピン
４１  取り付けピン
５０  情報処理機器収納装置
１３０  音響機器
１５０  ファクシミリ装置
Ｓ    操作スペース
【図１】
0003731198.tif 000002
【図２】
0003731198.tif 000003
【図３】
0003731198.tif 000004
【図４】
0003731198.tif 000005
【図５】
0003731198.tif 000006
【図６】
0003731198.tif 000007
【図７】
0003731198.tif 000008
【図８】
0003731198.tif 000009
【図９】
0003731198.tif 000010
【図１０】
0003731198.tif 000011